(57)【要約】【課題】両面印刷における裏映りを防止するための濃度補正においてユーザが所望の画像品質を得ることが出来る画像形成装置を提供する。【解決手段】画像形成装置が、操作部と、表示部と、画像形成媒体に画像形成する画像形成部と、両面画像形成時に、画像データに基づいて裏映りしない濃度補正を施した両面画像形成プレビュー画像を前記表示部に表示させ、前記操作部が補正実行指示を受け付けると前記両面画像形成プレビュー画像に施した濃度補正に基づいて前記画像形成部に画像形成を行わせる制御部とを具備する。【選択図】図１
2009233913.tif 000002
【特許請求の範囲】
【請求項１】
操作部と、
表示部と、
画像形成媒体に画像形成する画像形成部と、
両面画像形成時に、画像データに基づいて裏映りしない濃度補正を施した両面画像形成プレビュー画像を前記表示部に表示させ、前記操作部が補正実行指示を受け付けると前記両面画像形成プレビュー画像に施した濃度補正に基づいて前記画像形成部に画像形成を行わせる制御部とを具備する
ことを特徴とする画像形成装置。
【請求項２】
前記制御部は、前記画像データに写真または絵が含まれている場合に前記両面画像形成プレビュー画像を前記表示部に表示させ、前記画像データに文字のみ含まれる場合には、前記両面画像形成プレビュー画像を前記表示部に表示させずに前記画像形成部に濃度補正を施した画像形成を行わせることを特徴とする請求項１に記載の画像形成装置。
【請求項３】
前記制御部は、画像形成媒体の厚さに応じて濃度補正を施した前記両面画像形成プレビュー画像を前記表示部に表示させることを特徴とする請求項１または２に記載の画像形成装置。
【請求項４】
前記制御部は、両面画像形成時に、前記両面画像形成プレビュー画像と濃度補正を施さない片面画像形成プレビュー画像とを前記表示部に表示させることを特徴とする請求項１〜３のいずれか一項に記載の画像形成装置。
【発明の詳細な説明】
【技術分野】
【０００１】
本発明は、画像形成装置に関する。
【背景技術】
【０００２】
下記特許文献１には、両面印刷時において用紙に裏映りを生じさせずに良好な印刷を行うことが出来るインクジェット記録装置が開示されている。
このインクジェット記録装置では、画像処理部が、ホストコンピュータから印刷データを受信すると、上記印刷データと共に両面印刷要求を受信したか否か判断し、両面印刷を受信したと判断した場合には、印刷開始要求を受信したか否か判断する。画像処理部は、印刷開始要求を受信したと判断した場合には、ホストコンピュータにおいて指定された用紙の種類を上記印刷データから取得し、用紙の種類に応じてインクのドロップ量を決定し、インクのドロップ量及び印刷データをエンジン部に送信する。そして、エンジン部は、このインクのドロップ量及び印刷データに基づいてインクジェットヘッドを駆動し、印刷を行う。
【特許文献１】特開２００２−１３７３８２号公報
【発明の開示】
【発明が解決しようとする課題】
【０００３】
ところで、上記従来技術では、両面印刷において裏映りを防止するために、ユーザがホストコンピュータにおいて指定した用紙の種類に応じて自動的にインクのドロップ量を決定、すなわち色の濃度を決定している。しかし、ユーザはホストコンピュータにおいて用紙の種類を指定しているだけであり、用紙の種類に応じて自動的に色の濃度補正が実行されることは、ユーザが望むことでない可能性もある。したがって、上記従来技術では、ユーザは、所望の画像品質を得ることができない可能性がある。
【０００４】
本発明は、上述した事情に鑑みてなされたものであり、両面印刷における裏映りを防止するための濃度補正においてユーザが所望の画像品質を得ることが出来る画像形成装置を提供することを目的とする。
【課題を解決するための手段】
【０００５】
上記目的を達成するために、本発明では、画像形成装置に係る第１の解決手段として、操作部と、表示部と、画像形成媒体に画像形成する画像形成部と、両面画像形成時に、画像データに基づいて裏映りしない濃度補正を施した両面画像形成プレビュー画像を前記表示部に表示させ、前記操作部が補正実行指示を受け付けると前記両面画像形成プレビュー画像に施した濃度補正に基づいて前記画像形成部に画像形成を行わせる制御部とを具備するという手段を採用する。
【０００６】
本発明では、画像形成装置に係る第２の解決手段として、上記第１の解決手段において、前記制御部は、前記画像データに写真または絵が含まれている場合に前記両面画像形成プレビュー画像を前記表示部に表示させ、前記画像データに文字のみ含まれる場合には、前記両面画像形成プレビュー画像を前記表示部に表示させずに前記画像形成部に濃度補正を施した画像形成を行わせるという手段を採用する。
【０００７】
本発明では、画像形成装置に係る第３の解決手段として、上記第１または第２の解決手段において、前記制御部は、画像形成媒体の厚さに応じて濃度補正を施した前記両面画像形成プレビュー画像を前記表示部に表示させるという手段を採用する。
【０００８】
本発明では、画像形成装置に係る第４の解決手段として、上記第１〜第３いずれかの解決手段において、前記制御部は、両面画像形成時に、前記両面画像形成プレビュー画像と濃度補正を施さない片面画像形成プレビュー画像とを前記表示部に表示させるという手段を採用する。
【発明の効果】
【０００９】
本発明によれば、画像形成装置において、制御部が、両面画像形成時に裏映りしない濃度補正を施した両面画像形成プレビュー画像を前記表示部に表示させ、操作部が補正実行指示を受け付けると前記両面画像形成プレビュー画像に施された濃度補正に基づいて前記画像形成部に画像形成を行わせることによって、ユーザは、両面画像形成プレビュー画像を確認した上で濃度補正を望む場合に濃度補正を施した両面画像形成を実行することが出来る為、所望の画像品質を得ることが出来る。
【発明を実施するための最良の形態】
【００１０】
以下、図面を参照して、本発明の一実施形態について説明する。本発明の画像形成装置の一つである複写機能及び印刷機能を有する複合機に関する。図１は本実施形態に係る複合機Ａの機能ブロック図である。複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９及び操作表示部１０を備えている。なお、操作表示部１０は、本実施形態における操作部及び表示部を有するものである。
【００１１】
ＣＰＵ１は、ＲＯＭ２に記憶されている制御プログラム、画像データ記憶部７に記憶されている画像データ、通信Ｉ／Ｆ部９を介して外部機器から入力される印刷指示、操作表示部１０から入力される各種操作指示に基づいて複合機Ａの全体動作を制御する。このＣＰＵ１の制御処理の詳細については、以下に複合機Ａの動作として説明する。
ＲＯＭ２は、ＣＰＵ１で実行される制御プログラム、補正濃度登録テーブル及びその他のデータを記憶する不揮発性メモリである。上記補正濃度登録テーブルについて、図２を参照して詳細に説明する。図２は、上記補正濃度登録テーブルを示す模式図である。この補正濃度登録テーブルは、厚さの異なる各種用紙に応じた濃度補正の実施時の補正濃度を登録したデータテーブルである。なお、この補正濃度は、濃度補正を実施しない時の濃度を１００％として、濃度補正の実施時の濃度を割合によって示したものである。
【００１２】
ＲＡＭ３は、ＣＰＵ１が制御プログラムを実行して各種動作を行う際に、データの一時保存先となるワーキングエリアとして用いられる揮発性メモリである。
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
用紙搬送部５は、用紙トレイに収納されている用紙を画像形成部８に搬送するための搬送ローラ及び搬送ローラ駆動用のモータや、画像形成処理後の用紙を図示しない排紙トレイに搬送するための搬送ローラ及び搬送ローラ駆動用のモータなどから構成されている。
【００１３】
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、ＣＣＤセンサに原稿画像から読み取らせた画像データを出力する。なお、画像読取部６は、画像データをＣＰＵ１に出力し、一方、ＣＰＵ１は、原稿の画像データを画像データ記憶部７に記憶させる。
画像データ記憶部７は、例えばフラッシュメモリであり、ＣＰＵ１の要求に応じて原稿の画像データを記憶する一方、原稿の画像データをＣＰＵ１に出力する。
画像形成部８は、ＣＰＵ１の制御の下、画像データ記憶部７に記憶されている画像データに基づいて、用紙搬送部５から搬送される用紙にトナーを転写し、当該トナーの定着処理を行う。
通信Ｉ／Ｆ部９は、パーソナルコンピュータ等の外部機器との間で各種信号の送受信を行い、ローカルエリアネットワークによって上記外部機器と接続されている。
【００１４】
操作表示部１０は、スタートキー、ストップキー、電源キー、テンキー（数値入力キー）、タッチパネル１０ａ、クリアキーやその他の各種操作キー、を備えており、それぞれのキーの操作指示をＣＰＵ１に出力すると共に、ＣＰＵ１の制御の下、タッチパネル１０ａに種々の画面を表示する。
【００１５】
次に、上記のように構成された本実施形態に係る複合機Ａの動作について図３を参照して詳しく説明する。図３は、本実施形態に係る複合機Ａの動作を示すフローチャートである。
最初に、複合機Ａによって原稿を複写しようとするユーザは、複写開始前にタッチパネル１０ａにより複写処理に関する各種設定を必要に応じて設定し、設定完了後にスタートキーの押下によって複合機Ａに複写を開始させる。
ＣＰＵ１は、操作表示部１０がスタートキーの押下による複写開始指示を受け付けたか否か判定し（ステップＳ１）、ステップＳ１において『ＮＯ』と判定した場合には、すなわち操作表示部１０が複写開始指示を受け付けていないと判定した場合には、操作表示部１０が複写開始指示を受け付けるまで待機し、ステップＳ１において『ＹＥＳ』と判定した場合には、すなわち操作表示部１０が複写開始指示を受け付けたと判定した場合には、画像読取部６に原稿を読み取らせ、タッチパネル１０ａによって片面／両面印刷設定に「両面印刷」が設定されたか否か判定する（ステップＳ２）。
【００１６】
ＣＰＵ１は、ステップＳ２において『ＹＥＳ』と判定した場合には、すなわち片面／両面印刷設定に「両面印刷」が設定されていると判定した場合には、画像読取部６に読み取らせた原稿画像の画像データに写真または絵が含まれているか否か判定する（ステップＳ３）。
ＣＰＵ１は、ステップＳ３において『ＹＥＳ』と判定した場合には、すなわち原稿画像の画像データに写真または絵が含まれている場合には、タッチパネル１０ａに両面印刷プレビュー画面を表示させる（ステップＳ４）。
【００１７】
上記両面印刷プレビュー画面について図４を参照して詳細に説明する。図４は、両面印刷プレビュー画面の一例を示す図である。図４に示すように両面印刷プレビュー画面は、用紙トレイ選択ボタン表示領域、用紙種選択ボタン表示領域、両面／片面印刷プレビュー画面切替ボタン表示領域及び両面印刷プレビュー画像表示領域から構成されている。
用紙トレイ選択ボタン表示領域は、図４に示すように用紙トレイのいずれかを選択する為の用紙トレイ選択ボタンを表示する。ＣＰＵ１は、この用紙トレイ選択ボタンによって選択された用紙トレイに収納されている用紙の種類に応じて濃度補正を施した両面印刷プレビュー画像を両面印刷プレビュー画像表示領域に表示させる。
用紙種選択画面は、図４に示すように各種用紙のいずれかを選択する為の用紙種選択ボタンを表示する。ＣＰＵ１は、用紙種選択ボタンによって選択された用紙の種類に応じて濃度補正を施した両面印刷プレビュー画像を両面印刷プレビュー画像表示領域に表示させる。
【００１８】
両面／片面印刷プレビュー画面切替ボタン表示領域は、両面印刷プレビュー画面から両面／片面印刷プレビュー画面へ切り替える為の両面／片面印刷プレビュー画面切替ボタンを表示する。
両面印刷プレビュー画像表示領域は、両面印刷プレビュー画像を表示すると共に補正実行ボタン及び補正不実行ボタンを表示する。ＣＰＵ１は、補正実行ボタンが押下されると、両面印刷プレビュー画像に施された濃度補正に基づいて画像形成部８に画像形成を行わせ、補正不実行ボタンが押下されると、画像形成部８に濃度補正を施さない画像形成を行わせる。
【００１９】
ＣＰＵ１は、上記用紙トレイ選択ボタンまたは用紙種選択ボタンの押下による用紙種選択指示または上記両面／片面印刷プレビュー画面切替ボタンの押下による両面／片面印刷プレビュー画面切替指示をタッチパネル１０ａが受付けたか否か判定する（ステップＳ５）。
ＣＰＵ１は、ステップＳ５においてタッチパネル１０ａが用紙種選択指示を受け付けたと判定した場合には、補正濃度登録テーブルに基づいて用紙種選択指示によって選択された用紙に応じて濃度補正を施した両面印刷プレビュー画像をタッチパネル１０ａに表示させる（ステップＳ６）。
【００２０】
ＣＰＵ１は、ステップＳ６の後に、上記補正実行ボタンの押下による補正実行指示または上記補正不実行ボタンの押下による補正不実行指示をタッチパネル１０ａが受け付けたか否か判定し（ステップＳ７）、ステップＳ７においてタッチパネル１０ａが補正実行指示を受け付けたと判定した場合には、上記用紙種選択指示によって選択された用紙へ両面印刷プレビュー画像に施した濃度補正に基づいて画像形成部８に両面印刷を実行させ（ステップＳ８）、ステップＳ７においてタッチパネル１０ａが補正不実行指示を受け付けたと判定した場合には、画像形成部８に濃度補正を施さない両面印刷を実行させる（ステップＳ９）。ＣＰＵは、ステップＳ７において『ＮＯ』と判定した場合には、すなわち用紙種選択指示及び両面／片面印刷プレビュー画面切替指示をタッチパネル１０ａが受け付けていないと判定した場合には、ステップＳ５に移行する。
【００２１】
ＣＰＵ１は、ステップＳ５においてタッチパネル１０ａが両面／片面印刷プレビュー画面切替指示を受け付けたと判定した場合には、タッチパネル１０ａに両面／片面印刷プレビュー画面を表示させる（ステップＳ１０）。
上記両面／片面印刷プレビュー画面について図５を参照して詳細に説明する。図５は、両面／片面印刷プレビュー画面の一例を示す図である。図５に示すように両面／片面印刷プレビュー画面は、用紙トレイ選択ボタン表示領域、用紙種選択ボタン表示領域、両面印刷プレビュー画像表示領域及び片面印刷プレビュー画像表示領域から構成されている。
【００２２】
両面印刷プレビュー画面と同様に、用紙トレイ選択ボタン表示領域は用紙トレイ選択ボタンを表示し、用紙種選択画面は用紙種選択ボタンを表示する。また、両面印刷プレビュー画面と同様に、両面印刷プレビュー画像表示領域は、両面印刷プレビューを表示すると共に補正実行ボタン及び補正不実行ボタンを表示する。片面印刷プレビュー画像表示領域は、濃度補正を施さない片面印刷プレビュー画像を表示すると共に片面印刷実行ボタンを表示する。ＣＰＵ１は、上記片面印刷実行ボタンの押下によって画像形成部８に濃度補正を施さない片面印刷を実行させる。
【００２３】
ＣＰＵ１は、ステップＳ１０の後に、補正実行ボタンの押下による補正実行指示、補正不実行ボタンの押下による補正不実行指示または片面印刷実行ボタンの押下による片面印刷実行指示をタッチパネル１０ａが受け付けたか否か判定し（ステップＳ１１）、ステップＳ１１において補正実行指示をタッチパネル１０ａが受け付けたと判定した場合には、ステップＳ８に移行し、ステップＳ１１において補正不実行指示をタッチパネル１０ａが受け付けたと判定した場合には、ステップＳ９に移行し、ステップＳ１１において片面印刷実行指示をタッチパネル１０ａが受け付けたと判定した場合には、画像形成部８に濃度補正を施さない片面印刷を実行させる（ステップＳ１２）。ＣＰＵは、ステップＳ１１において『ＮＯ』と判定した場合には、すなわち補正実行指示、補正不実行指示及び片面印刷実行指示以外の用紙種選択指示をタッチパネル１０ａが受け付けた場合には、ステップＳ６に移行する。
【００２４】
ＣＰＵ１は、ステップＳ３において『ＮＯ』と判定した場合には、すなわち原稿画像の画像データに写真または絵が含まれず文字のみである場合には、両面印刷プレビュー画面をタッチパネル１０ａに表示させずに、ステップＳ８において画像形成部８に濃度補正を施した両面印刷を実行させる。なお、画像データに文字のみが含まれている場合に、両面印刷プリビュー画面を表示せずに強制的に濃度補正を施した両面印刷を実行するのは、濃度補正によって文字の濃度が薄くなったとしてもその仕上がり結果に大きな問題はなく、また画像形成完了までの時間を優先させた為である。
ＣＰＵ１は、ステップＳ２において『ＮＯ』と判定した場合には、すなわちタッチパネル１０ａに片面／両面印刷設定に「片面印刷」が設定されていると判定した場合には、ステップＳ１２において画像形成部８に濃度補正を施さない片面印刷を実行させる。
【００２５】
以上のように、本実施形態に係る複合機Ａでは、ＣＰＵ１が、両面印刷実行前に、両面印刷プレビュー画面をタッチパネル１０ａに表示させ、タッチパネル１０ａの操作によって選択された用紙の種類に応じて濃度補正を施した両面印刷プレビュー画像を両面印刷プレビュー画面に表示させ、補正実行ボタンまたは補正不実行ボタンの押下によって濃度補正を選択的に画像形成部８に実行させることによって、ユーザは両面印刷プレビュー画像を確認した上で濃度補正を望む場合に濃度補正を施した両面印刷を実行することが出来る為、所望の画像品質を得ることが出来る。
【００２６】
さらに、複合機Ａでは、ＣＰＵ１が、濃度補正を施した両面印刷プレビュー画像と濃度補正を施さない片面印刷プレビュー画像をタッチパネル１０ａに同時に表示させる為、ユーザは、両面印刷プレビュー画像と片面印刷プレビュー画像を比較した上で、両面印刷あまたは片面印刷によって所望の画像品質を得ることが出来る。
【００２７】
以上、本発明の一実施形態について説明したが、本発明は上記実施形態に限定されることなく、例えば以下のような変形が考えられる。
（1）上記実施形態では、複写処理の両面印刷において両面印刷プレビュー画像を表示し、濃度補正を行ったが、本発明はこれに限定されない。
例えば、複写処理ではなく、パーソナルコンピュータ等の外部機器からの印刷指示に基づいて実行されるプリント処理にも本発明を適用することが可能である。例えば、パーソナルコンピュータにインストールされている複合機Ａのデバイスドライバによってパーソナルコンピュータのディスプレイに両面印刷プレビュー画像を表示させ、パーソナルコンピュータの操作部が受け付ける操作指示に基づいて複合機Ａがプリント処理における両面印刷の補正実行または補正不実行を実行するようにしてもよい。
【図面の簡単な説明】
【００２８】
【図１】本発明の一実施形態に係る複合機Ａの機能ブロック図である。
【図２】本発明の一実施形態に係る複合機Ａの補正濃度登録テーブルを示す模式図である。
【図３】本発明の一実施形態に係る複合機Ａの動作を示すフローチャートである。
【図４】本発明の一実施形態に係る複合機Ａの両面印刷プレビュー画面の一例を示す図。
【図５】本発明の一実施形態に係る複合機Ａの両面／片面印刷プレビュー画面の一例を示す図。
【符号の説明】
【００２９】
Ａ…複合機、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル
【図１】
2009233913.tif 000003
【図２】
2009233913.tif 000004
【図３】
2009233913.tif 000005
【図４】
2009233913.tif 000006
【図５】
2009233913.tif 000007